(57)【要約】【課題】  振込先の情報を自動現金預払機に手作業で入力しなくても、振込先の情報を自動現金預払機に設定することができる振込処理システム及び方法を提供する。【解決手段】  携帯端末２０は、料金の振込先についての振込先情報を記憶する記憶部２３と、記憶部２３が記憶している振込先情報を、自動現金預払機に対して送信する送信管理部２６を備える。また、自動現金預払機は、送信管理部２６から送信される振込先情報を受信する振込先情報受信部と、振込先情報受信部が受信した振込先情報に基づいて振込みの処理を行う振込処理部を備える。【選択図】  図３
2007034483.tif 000002
【特許請求の範囲】
【請求項１】
携帯端末と自動現金預払機により振込みの処理を行う振込処理システムであって、
前記携帯端末は、
料金の振込先についての振込先情報を記憶する記憶手段と、
前記記憶手段が記憶している振込先情報を、前記自動現金預払機に対して送信する送信管理手段とを備え、
前記自動現金預払機は、
前記送信管理手段から送信される振込先情報を受信する振込先情報受信手段と、
前記振込先情報受信手段が受信した振込先情報に基づいて振込みの処理を行う振込処理手段とを備えることを特徴とする振込処理システム。
【請求項２】
前記携帯端末は、
前記記憶手段に記憶されている振込先情報を表示する表示管理手段と、
利用者の操作に基づいて、前記記憶手段に記憶されている振込先情報を選択する選択管理手段とを更に有し、
前記送信管理手段は、前記選択管理手段により選択した振込先情報を、前記自動現金預払機に対して送信することを特徴とする請求項１に記載の振込処理システム。
【請求項３】
前記自動現金預払機は、前記振込処理手段による振込みの処理が完了した場合に、前記携帯端末に対して、振込みの処理が完了した旨を通知する処理結果通知手段を更に有することを特徴とする請求項１又は２に記載の振込処理システム。
【請求項４】
ネットワークを介して振込先情報を前記携帯端末に対して送信するサーバを更に有し、
前記記憶手段は、前記サーバから送信される振込先情報を記憶することを特徴とする請求項１〜３のいずれかの項に記載の振込管理システム。
【請求項５】
携帯端末と自動現金預払機により振込みの処理を行う振込処理方法であって、
料金の振込先についての振込先情報を前記携帯端末の記憶手段に記憶する第１のステップと、
前記第１のステップで記憶した振込先情報を、前記自動現金預払機に対して前記携帯端末により送信する第２のステップと、
前記第２のステップで送信される振込先情報を前記自動現金預払機により受信する第３のステップと、
前記第３のステップで受信した振込先情報に基づいて振込みの処理を前記自動現金預払機により行う第４のステップと、
を有することを特徴とする振込処理方法。
【請求項６】
前記第１のステップで記憶した振込先情報を前記携帯端末により表示する第５のステップと、
利用者の操作に基づいて、前記第１のステップで記憶した振込先情報を前記携帯端末により選択する第６のステップとを更に有し、
前記第３のステップは、前記第６のステップで選択した振込先情報を、前記携帯端末により前記自動現金預払機に対して送信することを特徴とする請求項５に記載の振込処理方法。
【請求項７】
前記振込処理手段による振込みの処理が完了した場合に、前記自動現金預払機により前記携帯端末に対して、振込みの処理が完了した旨を通知する第７のステップを更に有することを特徴とする請求項５又は６に記載の振込処理方法。
【請求項８】
ネットワークを介して振込先情報を、サーバから前記携帯端末に対して送信する第８のステップを更に有し、
前記第１のステップは、前記第８のステップで送信される振込情報を記憶することを特徴とする請求項５〜７のいずれかの項に記載の振込管理方法。
【発明の詳細な説明】
【技術分野】
【０００１】
本発明は、コンビニエンスストア等の店舗に設置される自動現金預払機により、金銭の振込み等を行うための振込処理システム及び方法に関する。
【背景技術】
【０００２】
従来から、コンビニエンスストアなどの店舗に設置される自動現金預払機（ＡＴＭ：Automatic Teller Machine）を利用して、銀行等の所定の金融機関に対して金銭の振込みを行う振込方法が使用されている。この方法では、金銭の振込みを行う利用者は、自動現金預払機の表示画面を参照しながら、振込先の金融機関名、その金融機関の支店名、口座番号、振込金額等の情報を手作業により入力していた。そして、利用者は、それらの情報を入力し終った後で、キャッシュカードや現金をその口座番号で特定される口座に振り込んでいた。
【発明の開示】
【発明が解決しようとする課題】
【０００３】
しかしながら、従来から使用されていた方法では、自動現金預払機に表示される画面の指示に従って、金融機関名、支店名、口座番号等の情報を利用者が自動現金預払機のタッチパネルやテンキーなどを操作して手作業で入力していたため、利用者の手続きが煩雑であるという問題があった。また、自動現金預払機により手続きを行えるのは一人に限定されるため、振込みの手続きを希望する利用者が多数存在する場合には、各利用者の振込先情報の入力に所定時間を要し、他の利用者の待ち時間が増大するという問題があった。
【０００４】
本発明は、上記事情に鑑みてなされたものであり、その目的は、振込先の情報を自動現金預払機に手作業で入力しなくても、振込先の情報を自動現金預払機に設定することができる振込処理システム及び方法を提供することにある。
【課題を解決するための手段】
【０００５】
本発明は、上記課題を解決するためになされたもので、請求項１に記載の発明は、携帯端末と自動現金預払機により振込みの処理を行う振込処理システムであって、前記携帯端末は、料金の振込先についての振込先情報を記憶する記憶手段と、前記記憶手段が記憶している振込先情報を、前記自動現金預払機に対して送信する送信管理手段とを備え、前記自動現金預払機は、前記送信管理手段から送信される振込先情報を受信する振込先情報受信手段と、前記振込先情報受信手段が受信した振込先情報に基づいて振込みの処理を行う振込処理手段とを備えることを特徴とする振込処理システムである。
【０００６】
また、請求項２に記載の発明は、前記携帯端末は、前記記憶手段に記憶されている振込先情報を表示する表示管理手段と、利用者の操作に基づいて、前記記憶手段に記憶されている振込先情報を選択する選択管理手段とを更に有し、前記送信管理手段は、前記選択管理手段により選択した振込先情報を、前記自動現金預払機に対して送信することを特徴とする請求項１に記載の振込処理システムである。
【０００７】
また、請求項３に記載の発明は、前記自動現金預払機は、前記振込処理手段による振込みの処理が完了した場合に、前記携帯端末に対して、振込みの処理が完了した旨を通知する処理結果通知手段を更に有することを特徴とする請求項１又は２に記載の振込処理システムである。
【０００８】
また、請求項４に記載の発明は、ネットワークを介して振込先情報を前記携帯端末に対して送信するサーバを更に有し、前記記憶手段は、前記サーバから送信される振込先情報を記憶することを特徴とする請求項１〜３のいずれかの項に記載の振込管理システムである。
【０００９】
また、請求項５に記載の発明は、携帯端末と自動現金預払機により振込みの処理を行う振込処理方法であって、料金の振込先についての振込先情報を前記携帯端末の記憶手段に記憶する第１のステップと、前記第１のステップで記憶した振込先情報を、前記自動現金預払機に対して前記携帯端末により送信する第２のステップと、前記第２のステップで送信される振込先情報を前記自動現金預払機により受信する第３のステップと、前記第３のステップで受信した振込先情報に基づいて振込みの処理を前記自動現金預払機により行う第４のステップとを有することを特徴とする振込処理方法である。
【００１０】
また、請求項６に記載の発明は、前記第１のステップで記憶した振込先情報を前記携帯端末により表示する第５のステップと、利用者の操作に基づいて、前記第１のステップで記憶した振込先情報を前記携帯端末により選択する第６のステップとを更に有し、前記第３のステップは、前記第６のステップで選択した振込先情報を、前記携帯端末により前記自動現金預払機に対して送信することを特徴とする請求項５に記載の振込処理方法である。
【００１１】
また、請求項７に記載の発明は、前記振込処理手段による振込みの処理が完了した場合に、前記自動現金預払機により前記携帯端末に対して、振込みの処理が完了した旨を通知する第７のステップを更に有することを特徴とする請求項５又は６に記載の振込処理方法である。
【００１２】
また、請求項８に記載の発明は、ネットワークを介して振込先情報を、サーバから前記携帯端末に対して送信する第８のステップを更に有し、前記第１のステップは、前記第８のステップで送信される振込情報を記憶することを特徴とする請求項５〜７のいずれかの項に記載の振込管理方法である。
【発明の効果】
【００１３】
本発明では、携帯端末の記憶手段に予め振込先情報を記録しておき、その振込先情報を自動現金預払機に対して送信するようにした。
これにより、携帯端末の利用者は、自動現金預払機に対して振込先情報を手作業により入力する必要がなくなるため、利用者の負担を軽減し、振込みの処理時間を短縮することができる。
【発明を実施するための最良の形態】
【００１４】
以下、図面を参照し、本発明の実施形態について説明する。
図１は、本発明の実施形態による振込処理システムの概略構成図である。この振込処理システムは、振込先情報通知サーバ１０、携帯端末２０、自動現金預払機３０を備えている。振込先情報通知サーバ１０と携帯端末２０との間では、インターネットなどのネットワーク４０を介して通信を行うことができるようになっている。また、携帯端末２０と自動現金預払機３０との間では、赤外線通信などを利用して通信を行うことができるようになっている。
【００１５】
図２は、本実施形態による振込先情報通知サーバ１０の構成を示すブロック図である。この振込先情報通知サーバ１０は、商取引情報記憶部１１、振込先情報記憶部１２、サーバ制御部１３、ネットワーク通信部１４を有する。振込先情報通知サーバ１０は、本実施形態による振込処理システムの利用者に対して商品等の販売による商取引を行う会社などが管理する機器である。
商取引情報記憶部１１は、本実施形態による振込処理システムの利用者との商取引の情報である商取引情報を記憶する。商取引情報としては、商品等を購入した利用者の氏名や、その利用者が所持する携帯端末２０の電話番号及びメールアドレス、利用者が購入した商品等の代金についての情報などが含まれる。
【００１６】
振込先情報記憶部１２は、利用者に対して商品等を販売した会社等が、その利用者から支払われる代金の振込先について指定する振込先情報を記憶する。振込先情報としては、利用者に対して商品等を販売した会社等が口座を開設している金融機関名及び支店名、預金科目、その口座の口座番号の情報などが含まれる。
サーバ制御部１３は、商取引情報取得部１１に記憶されている商取引情報と、振込先情報記憶部１２に記憶されている振込先情報とを読み出し、ネットワーク通信部１４に出力する。ネットワーク通信部１４は、サーバ制御部１３から出力される商取引情報に含まれるメールアドレスに対して、ネットワーク４０を介して振込先情報を電子メールにより送信する。
【００１７】
図３は、本実施形態による携帯端末２０の構成を示すブロック図である。この携帯端末２０は、本実施形態による振込処理システムの利用者が外出時に携帯する端末であり、携帯電話などの機器が用いられる。携帯端末２０は、受付管理部２１、登録管理部２２、記憶部２３、選択管理部２４、表示管理部２５、送信管理部２６を有する。
受付管理部２１は、ネットワーク４０を介して、振込先情報通知サーバ１０から送信されるメールを受信する。
登録管理部２２は、受付管理部２１が受信したメールに含まれる振込先情報を記憶部２３に記録する。
記憶部２３は、メモリなどにより構成され、振込先情報などを記録する。
【００１８】
図４は、記憶部２３に記録される振込先情報の一例を示す図である。図に示すように、振込先情報には、「識別番号（１など）」、「金融機関名（○○銀行など）」、「支店名（小石川支店など）」、「預金科目（普通など）」、「口座番号（１２３４５６７など）」、「受取人名（Ａ社など）」、「金額（１００００円など）」等の情報がそれぞれ対応付けられて記録されている。なお、利用者が複数の会社等との間で商取引を行い、振込先が複数存在する場合には、複数の振込先情報が記憶部２３に記録される。また、「金額」については、利用者が商品等を購入し際の料金を表示するようにしてもよいし、利用者が選択管理部２４を操作することにより振込みを行う金額を設定できるようにしてもよい。
【００１９】
表示管理部２５は、記憶部２３に記録されている振込先情報を読み出すことにより、携帯端末２０の表示画面に、図５に示すような画面を表示する。図５（ａ）は、図４の識別番号が「１」の振込先情報が表示画面に表示されている場合を示している。また、利用者は、携帯端末２０の十字キーなどにより構成される選択管理部２４を操作して、スクロールバー３を操作することにより、図５（ａ）から図５（ｂ）に示すように表示画面に表示される振込先情報を切り替えることができる。図５（ｂ）は、図４の識別情報が「２」の振込先情報が表示画面に表示されている場合を示している。
【００２０】
利用者は選択管理部２４を操作して、図５（ａ）、図５（ｂ）の表示画面にそれぞれ表示されているチェックボックス４ａ、４ｂに、×印で示したチェックを入れることにより、複数の振込先情報のうち、どの振込先情報に対する振込処理を行うかについて選択する。
選択管理部２４は、利用者が携帯端末２０に対して指示を与えるためのテンキーや十字キーなどにより構成される。
送信管理部２６は、赤外線を発信する機能を有し、携帯端末２０と自動現金預払機３０との間で赤外線通信を行う。
【００２１】
図６は、本実施形態による自動現金預払機３０の構成を示すブロック図である。この自動現金預払機３０は、コンビニエンスストアなどの店舗に設置される機器であり、利用者が購入した商品等の代金等の支払いを現金やキャッシュカードにより行う機器である。
自動現金預払機３０は、振込先情報受信部３１、指示入力部３２、振込処理部３３、処理結果通知部３４を有する。振込先情報受信部３１は、携帯端末２０の送信管理部２６から赤外線通信により送信される振込先情報等を受信する。
【００２２】
指示入力部３２は、自動現金預払機３０に設けられるテンキーなどにより構成され、振込みの手続きを行う利用者の指示を入力する。振込処理部３３は、振込先情報受信部３１が受信する振込先情報に含まれる「金融機関名」、「支店名」、「預金科目」、「口座番号」、「受取人名」などに基づいて、振込みの処理を行う。
処理結果通知部３４は、振込処理部３３による振込処理が正常に終了した場合に、振込みの処理が正常に終了したことを通知するメッセージを携帯端末２０に対して赤外線通信により送信する。
【００２３】
次に、本実施形態による振込処理システムによる処理について説明する。
図７は、本実施形態による振込処理システムの動作を示すシーケンス図である。始めに、振込先情報通知サーバ１０の振込先情報記憶部１２は、商取引を行う会社が代金の振込みを要求する口座についての「金融機関名」、「支店名」、「口座番号」等の振込先情報を記録する（ステップＳ１１）。
次に、サーバ制御部１３は、商取引情報記憶部１１に記録されている利用者のメールアドレスに対して、振込先情報記憶部１２が記憶している振込先情報を含んだ電子メールを、ネットワーク通信部１４からネットワーク４０を介して携帯端末２０に送信する（ステップＳ１２）。
【００２４】
携帯端末２０の受信管理部２１は、振込先情報通知サーバ１０からネットワーク４０を介して、電子メールを受信する（ステップＳ２１）。そして、登録管理部２２は、受信管理部２１が受信した電子メールに含まれる振込先情報を記憶部２３に記録する（ステップ
Ｓ２２）。利用者が複数の会社等から複数の商品等を購入している場合には、記憶部２３に、複数の振込先情報が記録される。
商品等を購入した利用者は、その商品等に対する代金の振込みを行う場合には、コンビニエンスストア等の自動現金預払機３０が設置されている店舗へ行き、指示入力部３２を操作することにより振込みの処理を開始する（ステップＳ３１）。
【００２５】
携帯端末２０を所持する利用者は、記憶部２３に記憶されている振込先情報の中から、料金の振込みを行う振込先情報を、表示管理部２５に表示される画面（図５）を参照することにより、選択管理部２４を操作して決定する（ステップＳ２３）。
送信管理部２６は、選択管理部２４が選択した振込先情報と、利用者の氏名や電話番号等の情報を赤外線通信により、自動現金預払機３０に送信する（ステップＳ２４）。自動現金預払機３０の振込先情報受信部３１は、携帯端末２０から送信された赤外線の発光パターンを読み取り、振込先情報等を取得する（ステップＳ３２）。
【００２６】
自動現金預払機３０の振込処理部３３は、振込先情報受信部３１が受信した振込先情報に含まれる「金融機関名」、「支店名」、「預金科目」、「口座番号」、「受取人名」、「金額」に基づいて、利用者が自動現金預払機３０に投入する現金又はキャッシュカードにより振込みの処理を行う（ステップＳ３３）。
処理結果通知部３４は、振込処理部３３による振込みの処理が完了した場合には、振込みの処理が完了したことを通知するメッセージを、赤外線通信により、携帯端末２０に送信する（ステップＳ３４）。
携帯端末２０は、自動現金預払機３０からメッセージを受信した場合には（ステップＳ２５）、表示管理部２５の制御に基づいて、そのメッセージを表示画面に表示し（ステップＳ２６）、携帯端末２０を所持する利用者に対して、振込みの処理が完了したことを通知する。
【００２７】
上述した実施形態による振込処理システムでは、利用者が現金自動預払機３０で振込みの処理を行う前に、予め携帯端末２０の記憶部２３に、振込先情報を記録しておくようにした。そして、利用者が実際に現金自動預払機３０で振込みの処理を行う場合には、携帯端末２０の記憶部２３に記録されている振込先情報を現金自動預払機３０に送信するようにした。これにより、利用者は、現金自動預払機３０で振込みの処理を行う際に、振込先の金融機関名、支店名、口座番号などの情報を手作業で入力する必要がなくなるため、利用者の手続的な負担を軽減させることができる。また、振込先の会社等が管理する振込先情報通知サーバ１０から振込先情報を取得しているので、口座番号等の入力ミスを防止することができる。
【００２８】
また、上述した実施形態による振込処理システムでは、携帯端末２０から現金自動預払機３０に送信する振込先情報を、携帯端末２０の選択管理部２４で複数選択できるようにしたので、利用者は自動現金預払機３０に対して、１つ１つ振込みの処理を行っていく必要がなくなり、複数の振込みの処理をまとめて行うことができる。
【００２９】
なお、上述した実施形態では、振込先情報を、振込先情報通知サーバ１０から振込先情報をメールにより携帯端末２０に送信する場合について説明したが、このような構成に限定されるものではない。例えば、利用者が携帯端末２０の選択管理部２４を操作することにより、振込先情報を携帯端末２０に直接入力し、記憶部２３に予め記憶しておくようにしてもよい。
このようにすれば、振込先情報が、インターネットなどのネットワーク４０を経由しないで、携帯端末２０から自動現金預払機３０に赤外線通信により送信されるので、ネットワーク４０から振込先情報が漏洩することを防止することができ、安全性を向上することができる。
【００３０】
また、上述した実施形態では、振込先情報を、振込先情報通知サーバ１０から振込先情報をメールにより携帯端末２０に送信する場合について説明したが、このような構成に限定されるものではない。例えば、利用者が携帯端末２０を操作することにより、振込先情報通知サーバ１０にアクセスして振込先情報の送信を要求することにより、振込先情報を受信するようにしてもよい。
【００３１】
また、上述した実施形態では、携帯端末２０の送信管理部２６から、自導現金預払機３０の振込先情報受信部３１に対して、赤外線通信により振込先情報を送信する場合について説明したが、このような構成に限定されるものではない。例えば、送信管理部２６をＩＣカードにより構成し、振込先情報受信部３１をＩＣカードリーダにより構成することにより、振込先情報を送信するようにしてもよい。
【００３２】
なお、以上説明した実施形態において、図２のサーバ制御部１３、図３の登録管理部２２、選択管理部２４、表示管理部２５、図６の振込処理部３３の機能を実現するためのプログラムをコンピュータ読み取り可能な記録媒体に記録して、この記録媒体に記録されたプログラムをコンピュータシステムに読み込ませ、実行することにより振込処理システムの制御を行ってもよい。なお、ここでいう「コンピュータシステム」とは、ＯＳや周辺機器等のハードウェアを含むものとする。
【００３３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３５】
【図１】本発明の実施形態による振込処理システムの概略構成図である。
【図２】本実施形態による振込先情報通知サーバ１０の構成を示すブロック図である。
【図３】本実施形態による携帯端末２０の構成を示すブロック図である。
【図４】記憶部２３に記録される振込先情報の一例を示す図である。
【図５】携帯端末２０の表示画面の一例である。
【図６】本実施形態による自動現金預払機３０の構成を示すブロック図である。
【図７】本実施形態による振込処理システムの動作を示すシーケンス図である。
【符号の説明】
【００３６】
３・・・スクロールバー、４ａ、４ｂ・・・チェックボックス、１０・・・振込先情報通知サーバ、１１・・・商取引情報記憶部、１２・・・振込先情報記憶部、１３・・・サーバ制御部、１４・・・ネットワーク通信部、２０・・・携帯端末、２１・・・受付管理部、２２・・・登録管理部、２３・・・記憶部、２４・・・選択管理部、２５・・・表示管理部、２６・・・送信管理部、３０・・・自動現金預払機、３１・・・振込先情報受信部、３２・・・指示入力部、３３・・・振込処理部、３４・・・処理結果通知部、４０・・・ネットワーク
【図１】
2007034483.tif 000003
【図２】
2007034483.tif 000004
【図３】
2007034483.tif 000005
【図４】
2007034483.tif 000006
【図５】
2007034483.tif 000007
【図６】
2007034483.tif 000008
【図７】
2007034483.tif 000009